(57)【要約】【課題】  複数のアプリを使用できる画像処理装置において、機器の大型化、コストアップ、カードの種類の誤装着の防止等を目的とする。【解決手段】  画像処理装置において、第１のカードスロットにカードを挿入すると、表示部に第１のカードと関連があり第２のカードスロットに挿入して使用することができるカード名を表示する構成とした。【選択図】        図１
2005174182.tif 000002
【特許請求の範囲】
【請求項１】
筐体表面部に表示装置を設け、筐体側面部に複数のカードを装着可能な複数のカード用スロットを備え、前記カード用スロットに装着されたカードを動作制御できるようにした画像処理装置において、第１のカード用スロットに第１のカードが装着されると、画像処理装置本体の電源がＯＮされ、筐体表面の表示部に第１のカードと関連があり第２のカード用スロットおよび第３以降のカード用スロットに装着して同時に使用することができるカード名を表示する構成としたことを特徴とする画像処理装置。
【請求項２】
第１のカード用スロットに第１のカードが装着されると、装置本体の電源がＯＮされ、第１のカード用スロットに装着されたカードと関連が有り同時に使用することができるカードが第２のカード用スロットおよび第３のカード用スロットの片方あるいは両方に装着された場合、筐体表面の表示部に第１、第２および第３のカード用スロットに挿入されたカードに対応した操作系を表示し、表示部の近傍に配置され表示された操作系と一対になったＳＷの操作、もしくは表示部に設置されたタッチパネルの操作により、前記カード用スロットに装着されたカードを動作制御できる構成とし、第１のカード用スロットに装着されたカードと関連が無く同時に使用することができないカードが第２のカード用スロットあるいは第３のカード用スロットに装着された場合、筐体表面の表示部に第１のカードと関連がないことを表示し、同時には使用できないことを警告する構成にしたことを特徴とする請求項１に記載の画像処理装置。
【請求項３】
第１のカード用スロットに第１のカードが装着されると、装置本体の電源がＯＮされ、第１のカード用スロットに装着されたカードと関連が有り同時に使用することができるカードが第２のカード用スロットおよび第３のカード用スロットの片方あるいは両方に装着された場合、筐体表面の表示部に第１、第２および第３のカード用スロットに挿入されたカードに対応した操作系を表示し、表示部の近傍に配置され表示された操作系と一対になったＳＷの操作、もしくは表示部に設置されたタッチパネルの操作により、前記カード用スロットに装着されたカードを動作制御できる構成とし、第１のカード用スロットに装着されたカードと関連が無く同時に使用することができないカードが第２のカード用スロットあるいは第３のカード用スロットに装着された場合、筐体表面の表示部に第１のカードと関連がないことを表示し、第１のカードと関連がない第２のカードあるいは第３のカードを強制的に排出する構成としたことを特徴とする請求項１又は２に記載の画像処理装置。
【請求項４】
筐体表面部に表示装置を設け、筐体側面部に複数のカードを装着可能な複数のカード用スロットを備え、前記カード用スロットに装着されたカードを動作制御できるようにした画像処理装置において、第１のカード用スロットに第１のカードが装着され、第１のカードと関連があり第２のカード用スロットあるいは第３のカード用スロットに装着して同時に使用することができるカードを第２のカード用スロットに、あるいは第３のカード用スロットに装着したときのみ筐体本体の電源がＯＮとなり、筐体表面の表示部に前記カード用スロットに挿入されたカードに対応した操作系を表示し、表示部の近傍に配置され表示された操作系と一対になったＳＷの操作、もしくは表示部に設置されたタッチパネルの操作により、上記カード用スロットに装着されたカードを動作制御できる構成としたことを特徴とする画像処理装置。
【請求項５】
前述したカードには、被写体を撮影するための撮像光学系を含む撮像部と該撮像部により得られた被写体像の光電変換信号を画像信号に変換する信号処理回路とカード用スロットに接続可能なコネクタを具備するカメラカード、画像信号を記憶するメモリーとカード用スロットに接続可能なコネクタを具備するメモリーカード、無線電話機能とカード用スロットに接続可能なコネクタを具備する無線電話カード、ＧＰＳ機能とカード用スロットに接続可能なコネクタを具備するＧＰＳカード、地図データを記憶するメモリーとカード用スロットに接続可能なコネクタを具備する地図データカード、音楽データを記憶するメモリーとカード用スロットに接続可能なコネクタを具備する音楽データメモリーカード、画像加工プログラムなど各種プログラムを１プログラムずつインストールしたＬＳＩとカード用スロットに接続可能なコネクタを具備する各種プログラムカード、ＩＤ情報を記憶するメモリーとカード用スロットに接続可能なコネクタを具備するＩＤカード等を含み、その任意のカードが同時に装着可能である請求項１乃至４のいずれかに記載の画像処理装置。
【発明の詳細な説明】
【技術分野】
【０００１】
この発明は、画像処理装置に係わり、特に筐体側面部に複数のカード用スロットを備え、スロットに各種カードを装着して使用する画像処理装置に関する。
【背景技術】
【０００２】
近年の画像処理装置は、撮像光学系を含む撮像装置、撮像装置により撮像された画像を記録再生する記録再生装置、画像情報を他に転送するための無線電話装置、位置情報を確認するＧＰＳ装置、あるいは画像を加工するための各種アプリケーション等を本体内に内蔵しているものがある。
【０００３】
画像処理装置の筐体側面部にカード用スロットを備え、上記各装置や各種アプリケーションをカード状にして、カード用スロットに各種カードを装着して使用するものもある。
【特許文献１】特開平７−５７０６２号公報
【発明の開示】
【発明が解決しようとする課題】
【０００４】
しかしながら、画像処理装置において上記各装置や各種アプリケーションを本体内に内蔵するには、筐体を大型化する必要があり持ち運びに不便であり、各装置や各種アプリケーションが多数本体内に内蔵されていると使いたい装置やアプリケーションを選択する必要があり、表示や操作が複雑になる。
【０００５】
画像処理装置の筐体側面部にカード用スロットを備え、上記各装置や各種アプリケーションをカード状にして、カード用スロットに各種カードを装着して使用するものにおいては、第１のカード用スロットに各装置や各種アプリケーション等のカードを装着しても、第１のカードと関連があり第２のカード用スロットあるいは第３のカード用スロットに装着して使用できるカードをユーザーがすぐには判断することができない。
【０００６】
本発明は上述の問題点に着目してなされたものであって、複数のアプリを使用できる画像処理装置において、機器の大型化、コストアップ、カードの種類の誤装着の防止等を実現することのできる画像処理装置の提供を目的としている。
【課題を解決するための手段】
【０００７】
本発明では、画像処理装置の筐体表面部に表示装置を設け、筐体側面部に複数のカードを装着可能な複数のカード用スロットを備え、筐体表面の表示部に前記カード用スロットに挿入されたカードに対応した操作系を表示し、表示部の近傍に配置され表示された操作系と一対になったＳＷの操作、もしくは表示部に設置されたタッチパネルの操作により、上記カード用スロットに装着されたカードを動作制御できるようにし、第１のカード用スロットに第１カードが装着されると、筐体表面の表示部に第１のカードと関連があり第２のカード用スロットおよび第３のカード用スロットに装着して同時に使用することができるカード名を表示するようにしている。
【０００８】
この構成により画像処理装置を小型化でき、必要なカードのみを装着すれば良く、持ち運び性にすぐれ、筐体表面部の表示部に装着したカードの操作系のみが表示されるため、操作が複雑になることがない。また第１のカードと関連があり第２のカード用スロットおよび第３のカード用スロットに装着して同時に使用することができるカードをユーザーが間違えることなく、第２のカード用スロットおよび第３のカード用スロットに装着することができる。
【０００９】
第２の発明では、第１のカード用スロットに第１カードが装着され、第１のカード用スロットに装着されたカードと関連が無く同時に使用することができないカードが第２のカード用スロットあるいは第３のカード用スロットに装着された場合、筐体表面の表示部に第１のカードと関連がないことを表示し、同時には使用できないことを警告するようにしている。
【００１０】
この構成により第１のカードと関連がなく同時に使用することができないカードをユーザーが間違えて、第２のカード用スロットあるいは第３のカード用スロットに装着してもすぐに使用できないカードであることがわかる。
【００１１】
第３の発明では、第１のカード用スロットに第１のカードが装着され、第１のカード用スロットに装着されたカードと関連が無く同時に使用することができないカードが第２のカード用スロットあるいは第３のカード用スロットに装着された場合、筐体表面の表示部に第１のカードと関連がないことを表示し、関連がない第２のカードあるいは第３のカードを強制的に排出するようにした。
【００１２】
この構成により第１のカードと関連がなく同時に使用することができないカードをユーザーが間違えて、第２のカード用スロットあるいは第３のカード用スロットに装着してもすぐに使用できないカードであることがわかる。
【００１３】
第４の発明では、第１のカード用スロットに第１のカードが装着され、第１のカードと関連があり第２のカード用スロットあるいは第３のカード用スロットに装着して同時に使用することができるカードを第２のカード用スロットあるいは第３のカード用スロットに装着したときのみ画像処理装置本体の電源をＯＮとなるようにした。
【００１４】
この構成により第１のカードと関連がなく同時に使用することができないカードをユーザーが間違えて、第２のカード用スロットあるいは第３のカード用スロットに装着しても、すぐに使用できないカードであることがわかる。
【００１５】
カードには、被写体を撮影するための撮像光学系を含む撮像部と該撮像部により得られた被写体像の光電変換信号を画像信号に変換する信号処理回路とカード用スロットに接続可能なコネクタを具備するカメラカード、画像信号を記憶するメモリーとカード用スロットに接続可能なコネクタを具備するメモリーカード、無線電話機能とカード用スロットに接続可能なコネクタを具備する無線電話カード、ＧＰＳ機能とカード用スロットに接続可能なコネクタを具備するＧＰＳカード、地図データを記憶するメモリーとカード用スロットに接続可能なコネクタを具備する地図データカード、音楽データを記憶するメモリーとカード用スロットに接続可能なコネクタを具備する音楽データメモリーカード、画像加工プログラムなど各種プログラムを１プログラムずつインストールしたＬＳＩとカード用スロットに接続可能なコネクタを具備する各種プログラムカード、ＩＤ情報を記憶するメモリーとカード用スロットに接続可能なコネクタを具備するＩＤカード等を含み、その任意のカードが同時に装着可能とした。
【００１６】
上記カードの中で関連付けされるカードは、カメラカードとメモリーカード、カメラカードと無線電話カード、ＧＰＳカードと地図データカード、プログラムカードとメモリーカードや音楽データメモリーカード等であり、ＩＤカードは他のほとんどのカードと関連付けされる。
【００１７】
上記の構成を、改めて以下（１）〜（５）に整理して示す。
【００１８】
（１）筐体表面部に表示装置を設け、筐体側面部に複数のカードを装着可能な複数のカード用スロットを備え、前記カード用スロットに装着されたカードを動作制御できるようにした画像処理装置において、第１のカード用スロットに第１のカードが装着されると、画像処理装置本体の電源がＯＮされ、筐体表面の表示部に第１のカードと関連があり第２のカード用スロットおよび第３以降のカード用スロットに装着して同時に使用することができるカード名を表示する構成としたことを特徴とする画像処理装置。
【００１９】
（２）第１のカード用スロットに第１のカードが装着されると、装置本体の電源がＯＮされ、第１のカード用スロットに装着されたカードと関連が有り同時に使用することができるカードが第２のカード用スロットおよび第３のカード用スロットの片方あるいは両方に装着された場合、筐体表面の表示部に第１、第２および第３のカード用スロットに挿入されたカードに対応した操作系を表示し、表示部の近傍に配置され表示された操作系と一対になったＳＷの操作、もしくは表示部に設置されたタッチパネルの操作により、前記カード用スロットに装着されたカードを動作制御できる構成とし、第１のカード用スロットに装着されたカードと関連が無く同時に使用することができないカードが第２のカード用スロットあるいは第３のカード用スロットに装着された場合、筐体表面の表示部に第１のカードと関連がないことを表示し、同時には使用できないことを警告する構成にしたことを特徴とする上記（１）に記載の画像処理装置。
【００２０】
（３）第１のカード用スロットに第１のカードが装着されると、装置本体の電源がＯＮされ、第１のカード用スロットに装着されたカードと関連が有り同時に使用することができるカードが第２のカード用スロットおよび第３のカード用スロットの片方あるいは両方に装着された場合、筐体表面の表示部に第１、第２および第３のカード用スロットに挿入されたカードに対応した操作系を表示し、表示部の近傍に配置され表示された操作系と一対になったＳＷの操作、もしくは表示部に設置されたタッチパネルの操作により、前記カード用スロットに装着されたカードを動作制御できる構成とし、第１のカード用スロットに装着されたカードと関連が無く同時に使用することができないカードが第２のカード用スロットあるいは第３のカード用スロットに装着された場合、筐体表面の表示部に第１のカードと関連がないことを表示し、第１のカードと関連がない第２のカードあるいは第３のカードを強制的に排出する構成としたことを特徴とする上記（１）又は（２）に記載の画像処理装置。
【００２１】
（４）筐体表面部に表示装置を設け、筐体側面部に複数のカードを装着可能な複数のカード用スロットを備え、前記カード用スロットに装着されたカードを動作制御できるようにした画像処理装置において、第１のカード用スロットに第１のカードが装着され、第１のカードと関連があり第２のカード用スロットあるいは第３のカード用スロットに装着して同時に使用することができるカードを第２のカード用スロットに、あるいは第３のカード用スロットに装着したときのみ筐体本体の電源がＯＮとなり、筐体表面の表示部に前記カード用スロットに挿入されたカードに対応した操作系を表示し、表示部の近傍に配置され表示された操作系と一対になったＳＷの操作、もしくは表示部に設置されたタッチパネルの操作により、上記カード用スロットに装着されたカードを動作制御できる構成としたことを特徴とする画像処理装置。
【００２２】
（５）前述したカードには、被写体を撮影するための撮像光学系を含む撮像部と該撮像部により得られた被写体像の光電変換信号を画像信号に変換する信号処理回路とカード用スロットに接続可能なコネクタを具備するカメラカード、画像信号を記憶するメモリーとカード用スロットに接続可能なコネクタを具備するメモリーカード、無線電話機能とカード用スロットに接続可能なコネクタを具備する無線電話カード、ＧＰＳ機能とカード用スロットに接続可能なコネクタを具備するＧＰＳカード、地図データを記憶するメモリーとカード用スロットに接続可能なコネクタを具備する地図データカード、音楽データを記憶するメモリーとカード用スロットに接続可能なコネクタを具備する音楽データメモリーカード、画像加工プログラムなど各種プログラムを１プログラムずつインストールしたＬＳＩとカード用スロットに接続可能なコネクタを具備する各種プログラムカード、ＩＤ情報を記憶するメモリーとカード用スロットに接続可能なコネクタを具備するＩＤカード等を含み、その任意のカードが同時に装着可能である上記（１）乃至（４）のいずれかに記載の画像処理装置。
【発明の効果】
【００２３】
本発明の各発明は、筐体表面部に表示装置を設け、筐体側面部に複数のカードを装着可能な複数のカード用スロットを備え、挿入されたカードに対応した操作系を表示し、表示部の近傍に配置され表示された操作系と一対になったＳＷ１５の操作、もしくは表示部に設置されたタッチパネルの操作により、上記カード用スロットに装着されたカードを動作制御できるようにした画像処理装置において、第１の発明は、画像処理装置を小型化でき、必要なカードのみを装着すれば良く、持ち運び性にすぐれ、筐体表面部の表示部に装着したカードのみの操作系が表示されるため、操作が複雑になることがない。筐体表面の表示部に第１のカードと関連があり第２のカード用スロットあるいは第３のカード用スロットに装着して同時に使用することができるカード名を表示するため、使用することができるカードをユーザーが間違えることなく、第２のカード用スロットあるいは第３のカード用スロットに装着することができる。
【００２４】
第２の発明は、第１のカード用スロットに装着されたカードと関連が無く同時に使用することができないカードが第２のカード用スロットあるいは第３のカード用スロットに装着された場合、筐体表面の表示部に第１のカードと関連がないことを表示し、同時には使用できないことを警告するため、使用することができないカードをユーザーが間違えて、第２のカード用スロットあるいは第３のカード用スロットに装着してもすぐに使用できないカードであることがわかる。
【００２５】
第３の発明は、第１のカード用スロットに装着されたカードと関連が無く同時に使用することができないカードが第２のカード用スロットあるいは第３のカード用スロットに装着された場合、筐体表面の表示部に第１のカードと関連がないことを表示し、関連がない第２のカードあるいは第３のカードを強制的に排出するため、使用することができないカードをユーザーが間違えて、第２のカード用スロットあるいは第３のカード用スロットに装着してもすぐに使用できないカードであることがわかる。
【００２６】
第４の発明は、第１のカードと関連があり第２のカード用スロットに装着して同時に使用することができるカードを第２のカード用スロットあるいは第３のカード用スロットに装着したときのみ画像処理装置本体の電源がＯＮとなるため、使用することができないカードをユーザーが間違えて、第２のカード用スロットあるいは第３のカード用スロットに装着してもすぐに使用できないカードであることがわかる。
【発明を実施するための最良の形態】
【００２７】
以下に、本発明を実施するための最良の形態を、実施例に基づいて図面を参照しながら説明する。
【実施例】
【００２８】
本発明の実施例について説明する。図１は、本発明に係る画像処理装置のブロック図である。図２は、本発明に係る画像処理装置の斜視図である。１は画像処理装置本体、２は画像処理装置本体１の筐体表面部に配置された表示装置、３は画像処理装置本体１の筐体側面部に配置された第１のカードを挿入するための第１のカード用スロット、４は画像処理装置本体１の筐体側面部に配置された第２のカードを挿入するための第２のカード用スロット、５は画像処理装置本体１の筐体側面部に配置された第３のカードを挿入するための第３のカード用スロット、６は第１のカード用スロット３に挿入される第１のカード（一例としてカメラカード）、７は第２のカード用スロット４に挿入される第２のカード（一例としてメモリーード）、８は第３のカード用スロット５に挿入される第３のカード（一例として無線電話カード）、９は画像処理装置本体を制御する制御部、１０は第１のカード用スロット３に第１のカード６が挿入されたことを検知する検知スイッチ、１１は第２のカード用スロット４に第２のカード７が挿入されたことを検知する検知スイッチ、１２は第３のカード用スロット５に第３のカード８が挿入されたことを検知する検知スイッチ、１３は第２のカード７を第２のカード用スロット４からイジェクトするためのモーター、１４は第３のカード８を第３のカード用スロット５からイジェクトするためのモーター、１５は表示部の近傍に配置され表示された操作系と一対になったＳＷである。
【００２９】
図２では９，１０，１１，１２，１３，１４，１５を省略する。
【００３０】
画像処理装置本体１の筐体側面部に配置された第１のカードを挿入するための第１のカード用スロット３に、第１のカード（一例としてＧＰＳカード）６が挿入されると、第１のカード用検知スイッチ１０が第１のカード６を検知して、第１のカードとしてＧＰＳカードが挿入されたことを制御部９に伝達し、制御部９は画像処理装置本体１の電源をＯＮし、画像処理装置本体１の筐体表面部に配置された表示装置２に、第１のカード６と関連があり第２のカード用スロット４あるいは第３のカード用スロット５に装着して同時に使用することができるカード名（一例として地図データカード、ＩＤカード等）を表示する。
【００３１】
図３のフローチャートは以上の諸動作のうち基本的な動作の手順を示した物である。
【００３２】
次に第２の発明の実施例について説明する。画像処理装置本体１の筐体側面部に配置された第１のカードを挿入するための第１のカード用スロット３に、第１のカード（一例としてカメラカード）６が挿入されると、第１のカード用検知スイッチ１０が第１のカード６を検知して、第１のカードとしてカメラカードが挿入されたことを制御部９に伝達し、制御部９は画像処理装置本体１の電源をＯＮし、画像処理装置本体１の筐体表面部に配置された表示装置２に、第１のカード６と関連があり第２のカード用スロット４あるいは第３のカード用スロット５に装着して同時に使用することができるカード名（ここではメモリーカード、無線電話カード等）を表示する。
【００３３】
画像処理装置本体１の筐体側面部に配置された第２のカード用スロット４に、第２のカード７が挿入されると、第２のカード用検知スイッチ１１が第２のカード７を検知して、第２のカードとして挿入されたカードの種類を制御部９に伝達する。制御部９は挿入された第２のカード７と第１のカード６との関連有り無しを判断し、関連有りの場合は画像処理装置本体１の筐体表面部に配置された表示装置２に、第１のカード６（一例としてカメラカード）と第２のカード７（一例としてメモリーカード）の組み合わせで利用可能な操作系を表示し、表示部の近傍に配置され表示された操作系と一対になったＳＷ１５の操作、もしくは表示部に設置されたタッチパネルの操作により、画像処理装置本体１はメモリー付カメラ装置として使用可能となる。
【００３４】
制御部９が挿入された第２のカード７と第１のカード５との関連有り無しを判断し、関連が無い場合は画像処理装置本体１の筐体表面部に配置された表示装置２に、＜第１のカードと関連無く同時の使用不可＞の表示を行い、挿入された第２のカード７は第１のカードと関連が無く同時には使用できないことをユーザーに通知する。
【００３５】
また、画像処理装置本体１の筐体側面部に配置された第３のカード用スロット５に、第３のカード８が挿入されると、第３のカード用検知スイッチ１２が第３のカード８を検知して、第３のカードとして挿入されたカードの種類を制御部９に伝達する。制御部９は挿入された第３のカード８と第１のカード６との関連有り無しを判断し、関連有りの場合は画像処理装置本体１の筐体表面部に配置された表示装置２に、第１のカード６（一例としてカメラカード）と第３のカード８（一例として無線電話カード）の組み合わせで利用可能な操作系を表示し、表示部の近傍に配置され表示された操作系と一対になったＳＷ１５の操作、もしくは表示部に設置されたタッチパネルの操作により、画像処理装置本体１は無線電話カメラ装置として使用可能となる。
【００３６】
制御部９が挿入された第３のカード８と第１のカード６との関連有り無しを判断し、関連が無い場合は画像処理装置本体１の筐体表面部に配置された表示装置２に、＜第１のカードと関連無く同時の使用不可＞の表示を行い、挿入された第３のカード８は第１のカードと関連が無く同時には使用できないことをユーザーに通知する。
【００３７】
ここで第１のカードとしてカメラカード、第２のカードとしてメモリーカード、第３のカードとして無線電話カードが挿入された場合、画像処理装置本体１はメモリー付無線電話カメラ装置として使用可能となる。
【００３８】
図４のフローチャートは以上の諸動作のうち基本的な動作の手順を示した物である。
【００３９】
第３の発明の実施例について説明する。途中までは第２の発明と同じであり説明を省略する。制御部９が挿入された第２のカード７と第１のカード６との関連有り無しを判断し、関連が無い場合は画像処理装置本体１の筐体表面部に配置された表示装置２に、＜第１のカードと関連無く同時の使用不可＞の表示を行い、第２のカード７のイジェクト用モーター１３が動作して第２のカード７を強制的に排出し、挿入された第２のカード７は第１のカードと関連が無く同時には使用できないことをユーザーに通知する。
【００４０】
制御部９が挿入された第３のカード８と第１のカード６との関連有り無しを判断し、関連が無い場合は画像処理装置本体１の筐体表面部に配置された表示装置２に、＜第１のカードと関連無く同時の使用不可＞の表示を行い、第３のカード８のイジェクト用モーター１４が動作して第３のカード８を強制的に排出し、挿入された第３のカード８は第１のカードと関連が無く同時には使用できないことをユーザーに通知する。
【００４１】
図５のフローチャートは以上の諸動作のうち基本的な動作の手順を示した物である。
【００４２】
第４の発明の実施例について説明する。画像処理装置本体１の筐体側面部に配置された第１のカードを挿入するための第１のカード用スロット３に、第１のカード（一例としてカメラカード）６が挿入されると、第１のカード用検知スイッチ１０が第１のカード６を検知して、第１のカードとしてカメラカードが挿入されたことを制御部９に伝達する。次に画像処理装置本体１の筐体側面部に配置された第２のカード用スロット４に、第２のカード（一例としてメモリーカード）７が挿入されると、第２のカード用検知スイッチ１１が第２のカード７を検知して、第２のカードとして挿入されたカードの種類を制御部９に伝達する。制御部９は挿入された第２のカード７と第１のカード６との関連有り無しを判断し関連有りの場合、画像処理装置本体１の電源をＯＮし、第１のカード６（ここではカメラカード）と第２のカード７（ここではメモリーカード）の組み合わせで利用可能な操作系を表示し、表示部の近傍に配置され表示された操作系と一対になったＳＷ１５の操作、もしくは表示部に設置されたタッチパネルの操作により、画像処理装置本体１はメモリー付カメラ装置として使用可能となる。
第３のカード用スロット５に、第３のカード（一例として無線電話カード）８が挿入されると、第３のカード用検知スイッチ１２が第３のカード８を検知して、第３のカードとして挿入されたカードの種類を制御部９に伝達する。制御部９は挿入された第３のカード８と第１のカード６との関連有り無しを判断し関連有りの場合、画像処理装置本体１の電源をＯＮし、第１のカード６（ここではカメラカード）と第３のカード８（ここでは無線電話カード）の組み合わせで利用可能な操作系を表示し、表示部の近傍に配置され表示された操作系と一対になったＳＷ１５の操作、もしくは表示部に設置されたタッチパネルの操作により、画像処理装置本体１は無線電話カメラ装置として使用可能となる。
ここで第１のカード６（ここではカメラカード）と第２のカード７（ここではメモリーカード）、第３のカード８（ここでは無線電話カード）の３カードが挿入された場合は、画像処理装置本体１はメモリー付無線電話カメラ装置として使用可能となる。
【００４３】
図６のフローチャートは以上の諸動作のうち基本的な動作の手順を示した物である。
【図面の簡単な説明】
【００４４】
【図１】本発明に係る画像処理装置のブロック図である。
【図２】本発明に係る画像処理装置の斜視図である。
【図３】本発明に係る画像処理装置の諸動作のうち基本的な動作の手順を示したフローチャートである。
【図４】第２の発明に係る画像処理装置の諸動作のうち基本的な動作の手順を示したフローチャートである。
【図５】第３の発明に係る画像処理装置の諸動作のうち基本的な動作の手順を示したフローチャートである。
【図６】第４の発明に係る画像処理装置の諸動作のうち基本的な動作の手順を示したフローチャートである。
【符号の説明】
【００４５】
１  画像処理装置本体
２  画像処理装置本体１の筐体表面部に配置された表示装置
３  画像処理装置本体１の筐体側面部に配置された第１のカードを挿入するための第１のカード用スロット
４  画像処理装置本体１の筐体側面部に配置された第２のカードを挿入するための第２のカード用スロット
５  画像処理装置本体１の筐体側面部に配置された第３のカードを挿入するための第３のカード用スロット
６  第１のカード用スロット３に挿入される第１のカード
７  第２のカード用スロット４に挿入される第２のカード
８  第３のカード用スロット５に挿入される第３のカード
９  画像処理装置本体を制御する制御部
１０  第１のカード用スロット３に第１のカード６が挿入されたことを検知する検知スイッチ
１１  第２のカード用スロット４に第２のカード７が挿入されたことを検知する検知スイッチ
１２  第３のカード用スロット５に第３のカード８が挿入されたことを検知する検知スイッチ
１３  第２のカード７を第２のカード用スロット５からイジェクトするためのモーター
１４  第３のカード８を第３のカード用スロット６からイジェクトするためのモーター
１５  表示部の近傍に配置され表示された操作系と一対になったＳＷ
【図１】
2005174182.tif 000003
【図２】
2005174182.tif 000004
【図３】
2005174182.tif 000005
【図４】
2005174182.tif 000006
【図５】
2005174182.tif 000007
【図６】
2005174182.tif 000008